(57)【特許請求の範囲】
【請求項１】
本体部に設けられた把持部と、この把持部に回転可能に設けられた筒状の回転ローラと、この回転ローラ内に設けられた超音波発振素子とを備えた超音波美容器において、
上記回転ローラの内部は、直径方向における中央部分から軸方向に沿った一側が中空部として、他側が中実部として形成されており、上記超音波発振素子は薄板状に形成されて上記中実部の上記中空部に面する側の表面に取り付けられていることを特徴とする超音波美容器。
【請求項２】
上記回転ローラは、中空の筒状部材と、この筒状部材内に収容された断面半円状の中実部材とを備え、この中実部材の表面円弧部が上記筒状部材の内周面に固定されて回転ローラの内部に上記中空部と中実部とを形成していることを特徴とする請求項１に記載の超音波美容器。
【請求項３】
上記回転ローラの外周面は、断面多角形状に形成されていることを特徴とする請求項１又は請求項２に記載の超音波美容器。
【発明の詳細な説明】
【技術分野】
【０００１】
本発明は超音波美容器に関し、より詳しくは、回転ローラ内に超音波発振素子を設けた超音波美容器に関する。
【背景技術】
【０００２】
従来、超音波美容器として、本体部に設けられた把持部と、この把持部に回転可能に設けられた筒状の回転ローラと、この回転ローラ内に設けられた超音波発振素子とを備えたものが知られている（特許文献１、特許文献２）。
特許文献１の回転ローラは断面八角形状に形成されており、その内部中央部分に軸方向に沿って薄板部材が配設固定され、該薄板部材に超音波発振素子が取り付けられている。また回転ローラは、本体部に設けられた把持部によってその両端部が回転可能に軸支されている。
特許文献２の回転ローラは円筒状に形成されており、超音波発振素子は薄板円板状に形成されてその外周面が回転ローラの内周面に密着するように取り付けられている。また回転ローラは、本体部に設けられた把持部によってその一端部が回転可能に軸支され、かつ把持部は本体部に対して揺動可能となっていて、回転ローラを本体部の長手方向と一直線となる方向と、本体部の長手方向と直交する方向とに揺動させることができるようにしてある。
【先行技術文献】
【特許文献】
【０００３】
【特許文献１】特開平１１−１９２２７５号公報
【特許文献２】特開２００６−３４６５１号公報
【発明の概要】
【発明が解決しようとする課題】
【０００４】
特許文献１においては、超音波発振素子を薄板部材に取り付けて、この薄板部材を振動板として利用するようにしている。他方、特許文献２においては、円板状の超音波発振素子の外周面を、円筒状の回転ローラの内周面に取り付けている。
いずれのものも超音波発振素子によって発生された超音波振動を回転ローラに伝達することができるが、後の実験結果で示すように大きな超音波振動を得ることができず、所要の大きさの超音波振動を得るには相対的に大きな超音波発振素子を必要とし、その結果として消費電力も大きくなっていた。
本発明はそのような事情に鑑み、超音波発振素子によって発生された超音波振動を従来に比較して効率よく回転ローラに伝達することができるようにしたものである。
【課題を解決するための手段】
【０００５】
すなわち本発明は、本体部に設けられた把持部と、この把持部に回転可能に設けられた筒状の回転ローラと、この回転ローラ内に設けられた超音波発振素子とを備えた超音波美容器において、
上記回転ローラの内部は、直径方向における中央部分から軸方向に沿った一側が中空部として、他側が中実部として形成されており、上記超音波発振素子は薄板状に形成されて上記中実部の上記中空部に面する側の表面に取り付けられていることを特徴とするものである。
【発明の効果】
【０００６】
上記構成によれば、後の実験結果で示すように、同一の超音波発振素子を用いても従来に比較して大きな超音波振動を発生させることができる。
【図面の簡単な説明】
【０００７】
【図１】本発明の一実施例を示す部分断面正面図。
【図２】図１のＩＩ−ＩＩ線に沿う断面図。
【図３】図１の回転ローラ６の断面図。
【図４】本発明品と比較例１、２とを比較した実験結果図。
【発明を実施するための形態】
【０００８】
以下図示実施例について本発明を説明すると、図１、図２において、超音波美容器１は片手で把持可能な本体部２を備えており、その内部に電子回路基板３と電池４とが内蔵されている。
上記本体部２の一端部両側に把持部５が設けられ、両把持部５間に筒状の回転ローラ６が回転可能に設けられている。該回転ローラ６内に超音波発振素子７を設けてあり、該超音波発振素子７によって回転ローラ６に超音波振動を付与することができるようしてある。
上記回転ローラ６の外周面は断面六角形状（図２）に形成されており、回転ローラ６の外周面を皮膚に接触させて転動させた際に、断面六角形状により回転ローラ６が回転した際の皮膚への刺激を円筒に比べて増すことができるようにしてある。
【０００９】
図３に示すように、上記回転ローラ６は、中空の筒状部材１１と、その両端部を閉鎖する蓋体１２とを備えており、各蓋体１２の中心部に金属製の軸部材１３を固定してある。この軸部材１３を上記各把持部５に回転自在に軸支することにより、両把持部５間に回転ローラ６を回転自在に軸支してあり、また後述するように金属製の軸部材１３を電極端子として利用している。
上記中空の筒状部材１１の外周面は上述したように断面六角形状としてあるが、内周面は断面円形に形成してあり、この筒状部材１１の内部に、棒状中実円柱部材を軸方向にほぼ半分に切断して形成した断面半円状の中実部材１４（図２参照）を設けてある。
【００１０】
上記中実部材１４の円弧面１４ａは筒状部材１１の内周面に一致する曲率を有しており、該円弧面１４ａを筒状部材１１の中央内周面に密着させて固定することにより、筒状部材１１の内部を、直径方向における中央部分から軸方向に沿った一側が中空部１１Ａとなるように、また他側が中実部材１４による中実部１４Ａとなるように形成してある。
上記超音波発振素子７は筒状部材１１の中空部１１Ａ内に収容して断面半円状の中実部材１４の平坦面１４ｂに、つまり中実部１４Ａの上記中空部１１Ａに面する側の表面に固定してある。この超音波発振素子７は、中実部材１４の平坦面１４ｂの大きさに略一致するように、薄板長方形状に形成してある。
【００１１】
図３に示すように、上記超音波発振素子７からの２本のリード線１８はそれぞれ上述した金属製の軸部材１３に接続してある。
他方、図１に示すように、電子回路基板３に接続した２本の細長い金属片１９の先端部はそれぞれ把持部５まで伸びており、その把持部５で上記軸部材１３に接触するようになっている。
電子回路基板３には、図示しない従来周知の構成の超音波発振回路が設けられており、図示しないスイッチをオンとすることにより、上記超音波発振素子７を発振させて回転ローラ６に超音波振動を生じさせることができるようになっている。
なお、図３において、符号２０は筒状部材１１の両端部に設けた化粧用リング、２１はそれぞれ蓋体１２を覆う化粧用キャップである。
【００１２】
図４は本発明の効果を説明するための説明図である。
図４（ａ）は特許文献１に対応する比較例１で、この比較例１は、円筒中空パイプ３１の内部中央部分に軸方向に沿って薄板部材３２を配設固定し、該薄板部材３２に角形の超音波発振素子３３を取り付けたものである。
図４（ｂ）は比較例２で、この比較例２は、円筒中空パイプ３１の軸方向中央部に隔壁３１ａを形成し、この隔壁３１ａに丸形の超音波発振素子３４を取り付けたものである。特許文献２では、超音波発振素子３４の外周面が円筒中空パイプ３１の内周面に固着されているが、本比較例２では超音波発振素子３４を隔壁３１ａに取り付けてある。
図４（ｃ）は本発明品で、円筒中空パイプ３１の中に断面半円状の中実部材３５を取り付け、それによって中空パイプ３１の内部を、直径方向における中央部分から軸方向に沿った一側が中空部３１Ａとなるように、また他側が中実部材３５による中実部３５Ａとなるように形成したものである。そして断面半円状の中実部材３５の平坦面３５ｂに超音波発振素子３３を取り付けてある。
【００１３】
上記円筒中空パイプ３１の外形寸法は直径２０ｍｍ、長さ５２ｍｍ、肉厚２ｍｍとした。
また角形の超音波発振素子３３の寸法は、幅１５ｍｍ、長さ２５ｍｍ、厚さ２ｍｍであり、丸形の超音波発振素子３４の寸法は、直径１５ｍｍ、厚さ２ｍｍである。角形の超音波発振素子３３と丸形の超音波発振素子３４への出力は、同一となるように揃えてある。
【００１４】
上記本発明品と比較例１、２とについて同一条件で超音波発振素子３３、３４を発振させ、各中空パイプ３１の外周面で生じる振動の大きさをオシロスコープで測定した。
結果は図４に示してある通り、比較例１では±０．５Ｖの表面出力、比較例２では±１．５Ｖの表面出力が得られたのに対し、本発明品では±２．４Ｖという大きな表面出力が得られている。このように本発明の構成によれば従来に比較して大きな超音波振動を発生させることができるので、所要の大きさの超音波振動を得るためには小さな超音波発振素子を用いることができ、その結果として消費電力を小さくすることができるので、長時間の使用が可能となる。
【００１５】
なお、上記実施例では回転ローラ６の外周面を断面六角形状に形成しているが、その他の断面多角形状であってもよく、或いは断面円形であってもよい。他方、筒状部材１１の内周面は断面円形に限られるものではなく、多角形状であってもよく、或いは筒状部材１１と中実部材１４とを一体物で製造してもよい。
また、上記実施例では２つの把持部５によって回転ローラ６の両端部を回転可能に軸支しているが、特許文献２のように本体部２に１つの把持部５を揺動可能に設けて、これに回転ローラ６を片持ち式で設けるようにしてもよい。
【符号の説明】
【００１６】
１  超音波美容器                  ２  本体部
５  把持部                        ６  回転ローラ
７  超音波発振素子                １１  筒状部材
１１Ａ  中空部                    １４  中実部材
１４ａ  円弧面                    １４ｂ  平坦面
１４Ａ  中実部
【要約】
【解決手段】  超音波美容器１は、本体部２に設けられた把持部５と、この把持部に回転可能に設けられた筒状の回転ローラ６と、この回転ローラ内に設けられた超音波発振素子７とを備えている。上記回転ローラ６の内部は、直径方向における中央部分から軸方向に沿った一側が中空部１１Ａとして、他側が中実部１４Ａとして形成されており、上記超音波発振素子７は薄板状に形成されて上記中実部の平坦面１４ｂに取り付けられている。
【効果】  超音波発振素子７を中実部の平坦面１４ｂに取り付けると、回転ローラ６の表面に生じる超音波振動を大きくすることができる。
【選択図】  図３【図１】
0005527457.tif 000002
【図２】
0005527457.tif 000003
【図３】
0005527457.tif 000004
【図４】
0005527457.tif 000005